(57)【要約】      （修正有）【課題】椅子の身体支持部を衛生的に保ち、且つ身体を安定的に保持できる椅子を提供する。【解決手段】背凭れ部と、座部３と、フットレスト２に夫々身体支持部３１，４１を有する椅子において、前記椅子は、前記背凭れ部４とフットレスト２が座部３に対して回動することで、前記身体支持部３１，４１が収納される収納状態と、前記背凭れ部４とフットレスト２の少なくとも一方が座部３に対して回動することで、身体支持部３１，４１が使用可能となる展開状態とを有しており、前記収納状態は、前記フットレスト２が座部３を支持し、前記座部３が背凭れ部４を支持し、前記背凭れ部４の身体支持部３１，４１と座部３の身体支持部３１，４１が当接した状態であることを特徴とする。【選択図】図６
2012200317.tif 000002
【特許請求の範囲】
【請求項１】
背凭れ部と、座部と、フットレストに夫々身体支持部を有する椅子において、
前記椅子は、
前記背凭れ部とフットレストが座部に対して回動することで、前記身体支持部が収納される収納状態と、
前記背凭れ部とフットレストのいずれかが座部に対して回動することで、身体支持部が使用可能となる展開状態とを有しており、
前記収納状態は、
前記フットレストが座部を支持し、
前記座部が背凭れ部を支持し、
前記背凭れ部の身体支持部と座部の身体支持部が当接した状態であることを特徴とする椅子。
【請求項２】
前記収納状態において、フットレストの身体支持部は床面方向を向いていることを特徴とする請求項１に記載の椅子。
【請求項３】
前記椅子の座部は、
収納状態と、展開状態で座部の高さが変更され、
展開状態の座部の位置は、収納状態の座部の位置より低いことを特徴とする請求項1又は２に記載の椅子。
【請求項４】
前記椅子は、
前記背凭れ部と座部との間、座部とフットレストとの間に回動機構を有しており、
前記座部とフットレストの間の回動機構は、少なくとも２以上の関節を有しており、
前記関節と関節の間には、所定長さを有する中間接続部を有していることを特徴とする請求項1〜３のいずれかに記載の椅子。
【請求項５】
前記椅子の展開状態は、
前記収納状態から、前記背凭れ部が、前記座部に対して展開した第一展開状態と、
前記収納状態から、前記フットレストが、前記座部に対して展開した第二展開状態と、
前記収納状態から、前記背凭れ部が、前記座部に対して展開し、前記フットレストが、前記座部に対して展開した第三展開状態と、
があることを特徴とする請求項１〜４のいずれかに記載の椅子。
【請求項６】
前記椅子の背凭れ部と座部とフットレストが夫々有する身体支持部の少なくともいずれかに施療面を有することを特徴とする請求項１〜５のいずれかに記載の椅子。
【発明の詳細な説明】
【技術分野】
【０００１】
本発明は、背凭れ部と座部とフットレストを収納状態と展開状態に状態変形できる椅子に関する。
【背景技術】
【０００２】
従来、床面に置かれるベース部（座部と背凭れ部）と、表側に着座面、裏側に身体を置くための載置面を有する可動上部（フットレスト）とを備えた椅子であって、着座面を上向きにした椅子状態から載置面を上向きに露出させる展開状態へ状態変更可能となるように、可動上部がベース部に連結された椅子が提案されている（例えば、特許文献１参照）。
また、床面に置かれ使用者の脚部を収容するフットレストと、フットレストに連結され、少なくとも使用者の臀部を支持する身体受け部とを備えた椅子であって、身体受け部の使用者の身体を置くための載置面は、フットレストの上部に位置する収納状態から載置面が上向きに露出する展開状態へ状態変更可能となるように、身体受け部がフットレストに回動可能に連結された椅子が提案されている（例えば、特許文献２参照。）
【先行技術文献】
【特許文献】
【０００３】
【特許文献１】特開２００５−２１１１４４号公報
【特許文献２】特開２０１０−１４８８１５号公報
【発明の概要】
【発明が解決しようとする課題】
【０００４】
特許文献１記載の椅子は、展開状態のときには、左肘掛け部５及び背凭れ部６の上面５ａ、６ａは床面（設置面）に当接しており、当該左肘掛け部５及び背凭れ部６が可動上部３を下方から支持するようになっている。収納状態のときには、床面（設置面）に当接した左肘掛け部５及び背凭れ部６の上面５ａ，６ａが被施療者に触れることとなり、衛生上問題があるといえる。また、ベース部が背凭れ部と座部を一つとした構成となっているため、収納状態であっても全長が長くなってしまう。
また、展開状態において、左肘掛け部５及び背凭れ部６の上面５ａ、６ａは床面（設置面）に当接しているが、着座面３ｂの箇所は床面に当接することができず、強い力が上部よりかかったときに、不安定となってしまう。
また、特許文献２記載の椅子は、身体支持面の上部又は側部に床に当接する支持部を有しており、身体と接触する可能性があり、衛生上問題があると言える。
【０００５】
そこで本発明は、このような問題を解消するためになされたものであり、身体支持部を衛生的に保ち、且つ安定的に身体を保持できる椅子を提供することを目的とする。
【課題を解決するための手段】
【０００６】
背凭れ部と、座部と、フットレストに夫々身体支持部を有する椅子において、前記椅子は、前記背凭れ部とフットレストが座部に対して回動することで、前記身体支持部が収納される収納状態と、前記背凭れ部とフットレストの少なくとも一方が座部に対して回動することで、身体支持部が使用可能となる展開状態とを有しており、前記収納状態は、前記フットレストが座部を支持し、前記座部が背凭れ部を支持し、前記背凭れ部の身体支持部と座部の身体支持部が当接した状態であることを特徴とする。このような構成とすることで、背凭れ部と座部の身体支持部は互いに当接して収納されるため、身体支持部に埃等がたまらず、身体支持部を衛生的に保つことができる。
また、このような構成とすることで、展開状態のバリェーションを多くしつつも、収納状態ではコンパクトにすることができる。
【０００７】
また、前記収納状態において、フットレストの身体支持部は床面方向を向いていることが好ましい。このような構成とすることで、フットレストの身体支持部は、収納時に床面に向かって保持され、埃等がたまりにくく、衛生的である。
【０００８】
また、前記椅子の座部は、収納状態と、展開状態で座部の高さが変更され、展開状態の座部の位置は、収納状態の座部の位置より低いことが好ましい。このような構成とすることで、展開時（使用時）には座面の位置が低くなり、安定性が増す。
【０００９】
また、前記椅子は、前記背凭れ部と座部との間、前記座部とフットレストとの間に回動機構を有しており、前記座部とフットレストの回動機構は、少なくとも２以上の関節を有しており、前記関節と関節の間には、所定長さを有する中間接続部を有していることが好ましい。このような構成とすることで、前記座部とフットレストを展開させたときに、関節が１つの回動機構と比べて、座部とフットレストの距離をあけることができ、座部とフットレストが近づきすぎて、使用者が窮屈に感じることを軽減できる。
【００１０】
また、前記椅子の展開状態は、前記収納状態から、前記背凭れ部のみが、前記座部に対して展開した第一展開状態と、前記収納状態から、前記フットレストのみが、前記座部に対して展開した第二展開状態と、前記収納状態から、前記背凭れ部が、前記座部に対して展開し、且つ前記フットレストが、前記座部に対して展開した第三展開状態と、があることが好ましい。このような構成とすることによって、複数の展開状態を選択的に使用できる。
【００１１】
また、前記椅子の背凭れ部と座部とフットレストが夫々有する身体支持部の少なくとも一方に施療部を有することが好ましい。このような構成とすることで、使用者は椅子のみならず、マッサージ機として使用することができる。
【発明の効果】
【００１２】
本発明によれば、座面とフットレストを清潔に保つことができ、展開時であっても安定的に身体を保持することができる椅子を提供することができる。
【図面の簡単な説明】
【００１３】
【図１】本発明の第一実施形態に係る収納状態における椅子の全体構成を示す斜視図である。
【図２】本発明の第一実施形態に係る第一展開状態における椅子の全体構成を示す斜視図である。
【図３】本発明の第一実施形態に係る第二展開状態における椅子の全体構成を示す斜視図である。
【図４】本発明の第一実施形態に係る第三展開状態における椅子の全体構成を示す斜視図である。
【図５】本発明の椅子の収納方法と展開方法を示す側面図であり、図５（ａ）は、収納状態における椅子の側面図であり、図５（ｂ）は、展開途中における椅子の側面図であり、図５（ｃ）は、展開状態における椅子の側面図である。
【図６】本発明の椅子の使用状態を示す側面図であり、図６（ａ）は、収納状態における椅子の使用状態を示す側面図であり、図６（ｂ）は、第一展開状態における椅子の使用状態を示す側面図であり、図６（ｃ）は、第二展開状態を示す側面図であり、図６（ｄ）は、第三展開状態を示す側面図である。
【図７】本発明の椅子の座部とフットレストの間にある第一回動機構を示す図であり、図７（ａ）は、距離調節部が収縮している側面図であり、図７（ｂ）は、距離調節部が収縮している正面図であり、図７（ｃ）は、距離調節部が伸長している側面図であり、図７（ｄ）は、距離調節部が伸長している正面図である。
【図８】本発明の椅子の背凭れ部と座部の間にある第二回動機構を示す図であり、図８（ａ）は、第二回動機構の高さ調節機構と距離調節機構の両方が動作していない図であり、図８（ｂ）は、第二回動機構の高さ調節機構が動作した図であり、図８（ｃ）は、第二回動機構の距離調節機構が動作した図であり、図８（ｄ）は、第二回動機構の高さ調節機構と距離調節機構の両方が動作した図である。
【図９】本発明の椅子のフットレスト高さ調節機構の図である。
【図１０】本発明の椅子の他の実施形態の側面図である。
【発明を実施するための形態】
【００１４】
［全体構成］
以下、本発明の第一実施形態に係る椅子について、図面を参照しながら具体的に説明する。図１は、本発明の第一実施形態に係る収納状態における椅子の全体構成を示す斜視図である。図２は、本発明の第一実施形態に係る第一展開状態における椅子の全体構成を示す斜視図である。図３は、本発明の第一実施形態に係る第二展開状態における椅子の全体構成を示す斜視図である。図４は、本発明の第一実施形態に係る第三展開状態における椅子の全体構成を示す斜視図である。図５は、本発明の椅子の収納方法と展開方法を示す図である。
【００１５】
図１〜図４に示すように、本発明の第一実施形態に係る椅子１は、使用者Ａの脚部を保持することができるフットレスト２と、使用者Ａの臀部を支持することができる座部３と、使用者Ａの背中を支持する背凭れ部４を備えている。  図１に示す椅子１は、後述する図２〜４に示す展開状態の椅子１から背凭れ部４とフットレスト２を収納した収納状態である。図１に示す、本発明の第一実施形態に係る椅子１は、展開状態において、使用者Ａの脚部を保持することができるフットレスト２と、使用者Ａの臀部を支持することができる座部３と、使用者Ａの背中を支持する背凭れ部４を備えている。
本発明の収納状態において、背凭れ部４は座部３に当接し、座部３はフットレスト２に当接して収納されている。このとき、フットレスト２は、当接した状態の背凭れ部４と座部３を支持することとなる。
【００１６】
図１及び図２に示すように、第一展開状態において、背凭れ部４は、座部３に対して回動可能に連結して構成されており、所定の角度で固定され、身体を支持する。背凭れ部４は、収納状態と第一展開状態に状態変化させることが可能であり、背凭れ部４と座部３は展開によって、背凭れ部４の身体支持部４１と座部３の身体支持部３１が使用可能となる。また、座部下面３２は床面Ｆになく、フットレスト２の上部にある。この際フットレスト２のみが床面Ｆに接している。
【００１７】
図１及び図３に示すように、第二展開状態において、フットレスト２は、座部３に対して回動可能に連結して構成されており、座部３の前方位置まで回動し、身体を支持する。
第二展開状態では、背凭れ部４と座部３が当接し、フットレスト２が、座部３に対して展開することで、フットレスト２の身体支持部２１が使用可能となる。また、この際に、座部下面３２とフットレスト２は床面Ｆと当接している。
【００１８】
図１及び図４に示すように、第三展開状態において、背凭れ部４は、座部３に対して回動可能に連結して構成されており、所定の角度で固定され、身体を支持し、フットレスト２は、座部３に対して回動可能に連結して構成されており、座部３の前方位置するまで回動し、身体を支持する。
第三展開状態では、背凭れ部４及びフットレスト２は座部３に対する展開によって、夫々の身体支持部２１，３１，４１が使用可能となる。また、この際に、座部下面３２とフットレスト２は床面Ｆと当接している。
【００１９】
なお、本明細書における方向の概念は、第一〜第三の展開状態においては、座部３の身体支持部３１に着座した使用者Ａが正面を向いて、その前方が「前」であり、後方が「後」であり、左手側が「左」であり、右手側が「右」であり、頭側が「上」であり、腰側が「下」であり、収納状態においては、展開状態における座部３の方向を基準として椅子全体の方向を規定する。その他の場合は適宜説明するものとする。
【００２０】
［フットレストの構成］
図３及び図４に示すように、フットレスト２は、下肢を保持すべく、凹状に形成されており、第一床当接面２２を有する側壁２４，第二床当接面２３を有する底壁２５，底壁２５に設けられた身体支持部２１，施療部２６を有している。
また、フットレスト２はクッション材と合成皮革等のカバーに覆われており、後述する施療部２６に対応する位置にポケット等よりなる施療子収納部（図示せず）が設けられている。なお、施療子収納部は、面ファスナー等で位置を固定する構成としてもよい。
【００２１】
フットレスト２の第一床当接面２２は、側壁２４の上部に設けられており、身体支持部２１の左右両端に設けられている。第一床当接面２２は、フットレスト２を収納した際に、床面Ｆへと接触し、身体支持部２１は床面Ｆを向き、フットレスト２を展開した際には、身体支持部２１とともに上方を向くことなる。また、収納状態では、身体支持部２１は床方向を向くので、埃や塵がたまらず、身体支持部２１（又は施療部２６）の衛生が保たれる。
【００２２】
フットレスト２の第二床当接面２３は、フットレスト２の収納時に、座部下面３２と当接しており、展開時に、床面Ｆと当接する。
また、図９に示すように、第二床当接面２３は、高さ調節機構２７を有していてもよく、座部３の座面（身体支持部３１）に対する高さを調節できるようにしてもよい。高さ調節機構２７は、第二床当接面側に設けられており、アクチュエータ２７ａにより、フットレスト２が有する身体支持部２１の高さが調節されるようになっている。
【００２３】
フットレスト２の側壁２４は、身体支持部２１の左右両端に設けられている。側壁２４の高さは、身体支持部２１及び施療部２６よりも高く設けられており、収納時に身体支持部２１及び施療部２６が床面Ｆに当接しない程度の高さである。
このように、構成することで、フットレスト２が有する身体支持部２１は床面Ｆに当接せず、身体支持部２１（又は施療部２６）を清潔にしておくことができる。
【００２４】
フットレスト２の身体支持部２１は、底壁２５の第二床当接面２３の反対の面に設けられている。身体支持部２１は、下肢を振り分ける分離丘２８をその中央に有しており、下肢の長手方向に施療部２６を有している。施療部２６は、エアの給排気によって、膨張収縮するエアセル２６ａである。エアセル２６ａは、左右の側壁２４の内側面２４ａ及び分離丘２８の左右側面に設けられている。
【００２５】
［座部の構成］
座部３は、身体支持部３１、施療部３３、リモートコントロール装置（図示せず）、電源スイッチ、エア給配装置、座部３とフットレスト２を接続する第一回動機構５と、座部３と背凭れ部４を接続する第二回動機構６を有している。
また、座部３はクッション材と合成皮革等のカバーに覆われており、施療部のエアセルに対応する位置にポケット等よりなる施療子収納部（図示せず）が設けられている。なお、施療子収納部は、面ファスナー等で位置を固定する構成としてもよい。
【００２６】
座部３の身体支持部３１は、略凹状をしており、緩やかにカーブを描くように形成されている。
また、座部３の身体支持部３１は、施療部３３を有している。
【００２７】
座部３の施療部３３は、被施療者の臀部及び大腿部を側方から押圧する側方施療部３３ａと臀部を下方から押圧する臀部押圧部３３ｂを有している。前記施療部３３は、エアの給排気によって、膨張収縮するエアセルである。臀部及び大腿部を押圧するエアセルは、身体への距離調節用のエアセルと施療用のエアセルを有している。身体への距離調節用のエアセルは、エアセルとエアセルの端部にバンドが設けられており、エアセルの膨張量を規制し、バンドの長さによって、膨張方向を変えることができる。臀部押圧部のエアセルは、尾てい骨付近を押圧するよう配置されている。
【００２８】
座部３の側部には、リモートコントロール装置（図示せず）がつながれており、近傍に電源スイッチ（図示せず）が配置されている。
【００２９】
座部３は、座部３とフットレスト２を回動可能に接続する第一回動機構５を有している。前記第一回動機構５は、複数の関節を有する多関節の回動機構である。図５に示すように、第一回動機構５は、座部接続部５３とフットレスト接続部５２と中間接続部５１と回動角度調整部５５を有しており、座部３とフットレスト２の位置を調節できるように構成されている。
座部接続部５３とフットレスト接続部５２は、中間接続部５１を介して接続されており、夫々回動可能となっている。
【００３０】
また、中間接続部５１は、所定長さを有しており、前記所定長さは、収納状態における、座部接続部５３からフットレスト接続部５２までの長さが好ましい。このような構成とすることで、展開時において、座部３とフットレスト２の距離をあけることができ、座部３とフットレスト２が近づきすぎて、使用者が窮屈に感じることを軽減できる。また、座部下面３２とフットレスト２の第二床当接面２３は、床を傷つけないようにクッション材が設けられている。このため、座部接続部５３とフットレスト接続部５２は、クッション材の厚みよって、接続部から接続部までの距離が開いてしまう。この状態で、座部接続部５３とフットレスト接続部５２をつなごうとすると、展開状態では、容易に夫々の接続部を繋ぎ合わせることができるが、収納状態では、クッション材の厚みによって、夫々の接続部をつなぎ合わせることが困難である。よって、中間接続部５１はクッション材の厚みを考慮した所定長さを有していることが好ましい。
【００３１】
また、中間接続部５１は、距離調節部５１ａを有しており、座部３とフットレスト２の距離を適切な位置に調整可能となっていることが好ましい。
また、距離調節部５１ａは、調節した距離を保持するロック機構５１ｂが設けられている。
【００３２】
また、回動角度調整部５５は、調整した角度を保持するロック機構５５ａを有しており、フットレスト２の高さ（角度）も調節可能となっている。このような構成とすることで、フットレスト２と座部３の位置を調節でき、フットレスト２と座部３の高さを調整できる。  また、フットレスト２の高さ調節については、別途高さ調節機構２７を設けてもよい。図９に示すように、高さ調節機構２７は、フットレスト２の第二床当接面２３に設けられていてもよく、エアセル２７ａなどで、フットレスト２の身体支持部２１と座部３の身体支持部３１の高さが同じになるように調節してもよい。
【００３３】
座部３は、座部３と背凭れ部４を回動可能に接続する第二回動機構６を有している。図８に示すように、前記第二回動機構６は、座部接続部６３と背凭れ部接続部６４と回動角度調整部６５と距離調節部６６と高さ調節機構６７を有しており、座部３と背凭れ部４の位置を調節できるように構成されている。また、距離調節部６６には、調節した距離を保持するロック機構６６ａが設けられている。高さ調節機構６７は、被施療者の背中に合せて、その高さが変更できるようになっている。高さ調節機構６７は、従来から使用されているような、調整スロットと歯止掛合部を設けて長さを調節するような構成であってもよい。
【００３４】
座部３は、内部が空洞になっており、エア給配装置を有している。
エア給配装置は、制御部、電磁弁を有している。これにより、背凭れ部４，座部３，フットレスト２の夫々の施療部４２，３３，２６へと夫々給気される。
【００３５】
［背凭れ部の構成］
背凭れ部４は、身体支持部４１、施療部４２、取っ手（図示せず）を有している。
【００３６】
背凭れ部４の身体支持部４１は、被施療者の背中を保持すべく、形成されている。背凭れ部４の身体支持部４１は、収納状態において、座部３の身体支持部３１と対向するように構成されている。また、背凭れ部４はクッション材と合成皮革等のカバーに覆われており、後述する施療部４２のエアセルに対応する位置にポケット等よりなる施療子収納部（図示せず）が設けられている。なお、施療子収納部は、面ファスナー等で位置を固定する構成としてもよい。
【００３７】
背凭れ部４の施療部４２は、被施療者の背中を押圧すべく、左右に配置されている。左右の施療部４２は、身体の首側に回動支点を有しており、腰側が扇状に膨張する。前記施療部４２は、エアの給排気によって、膨張収縮するエアセルであってもよい。
【００３８】
背凭れ部４の取っ手は、背凭れ部４の上部に設けられる。取っ手は、芯材を内部に有しており、合成皮革等で覆われている。この取っ手をもって、背凭れ部４を上部に引き上げることで、背凭れ部４が展開し、フットレスト２が展開するので、収納状態から展開状態へ状態変更しやすくなっている。
【００３９】
［収納状態と展開状態について］
次に、図５及び図６に基づいて、本発明の収納方法と展開方法について説明する。
図５は本発明の椅子の収納方法と展開方法を示す側面であり、図５（ａ）は、収納状態における椅子の側面図であり、図５（ｂ）は、展開途中における椅子の側面図であり、図５（ｃ）は、展開状態における椅子の側面図である。図６は、本発明の椅子の使用状態を示す側面図であり、図６（ａ）は、収納状態における椅子の使用状態を示す側面図であり、図６（ｂ）は、第一展開状態における椅子の使用状態を示す側面図であり、図６（ｃ）は、第二展開状態を示す側面図であり、図６（ｄ）は、第三展開状態を示す側面図である。
【００４０】
図５（ａ）に示す収納状態では、背凭れ部４は、座部３に対して回動可能となっており、背凭れ部４の身体支持部４１と座部３の身体支持部３１が対向するように構成されている。背凭れ部４の身体支持部４１と座部３の身体支持部３１が当接している。
また、フットレスト２は、座部３に対して回動可能となっており、座部下面３２とフットレスト２の第二床当接面２３とが対向し、フットレスト２の第一床当接面２２が床面Ｆへと対向するように構成されている。座部下面３２とフットレスト２の第二床当接面２３とが当接し、フットレスト２の第一床当接面２２が床面Ｆへ当接している。このような状態で収納することで、夫々の身体支持部２１，３１，４１が隠された状態となり、身体支持部２１，３１，４１に埃等がたまらない。
【００４１】
図５（ｂ）に示す展開途中の図では、背凭れ部４の身体支持部４１と座部３の身体支持部３１が離間するように展開し、座部下面３２とフットレスト２の第二床当接面２３と離間するように展開し、座部３の下方よりフットレスト２が前方へ引き出されるようになっている。
また、収納される際には、背凭れ部４の身体支持部４１と座部３の身体支持部３１が当接し、座部下面３２とフットレスト２の第二床当接面２３が当接するように回動する。
【００４２】
図６に示す展開状態は、前記収納状態から、前記背凭れ部４のみが、前記座部３に対して展開した第一展開状態と、前記収納状態から、前記フットレスト２のみが、前記座部３に対して展開した第二展開状態と、前記収納状態から、前記背凭れ部４が、前記座部３に対して展開し、且つ前記フットレスト２が、前記座部３に対して展開した第三展開状態とがある。
【００４３】
図６（ａ）に示す収納状態では、使用者Ａが背凭れ部４の背面４３に着座した状態が示されている。収納状態において、背凭れ部４の背面４３へと着座することで、背凭れ部４のない簡易な椅子として使用が可能である。
【００４４】
図６（ｂ）に示す第一展開状態は、背凭れ部４のみを展開させた状態である。背凭れ部４は、座部３に対して回動可能となっており、背凭れ部４の身体支持部４１と座部３の身体支持部３１が離間するように展開した状態である。座部下面３２は、フットレスト２の第二床当接面２３と当接し、フットレスト２の第一床当接面２２が床面Ｆへ当接する。この際、フットレスト２の身体支持部２１は、床面Ｆと対向しており、使用しない身体支持部２１は埃等がたまらないようになっている。
さらに、座部３は床面Ｆより高い位置にあり、座部下面３２は床面Ｆと当接しない。この状態は使用者Ａが、膝を曲げて着座するようになっており、通常の椅子としても使用することが可能である。また、座部３及び背凭れ部４に設けた施療部３３，４２によって、使用者Ａに施療を施すことが可能である。
【００４５】
図６（ｃ）に示す第二展開状態は、フットレスト２のみを展開させた状態である。背凭れ部４の身体支持部４１と座部３の身体支持部３１が当接し、座部下面３２とフットレスト２の第二床当接面２３とが床面Ｆに接するよう展開した状態である。この状態は、使用者Ａが、足を伸ばして着座するようになっている。また、フットレスト２に設けた施療部２６によって、使用者Ａに施療を施すことができので、フットマッサージャーとして使用することができる。
フットレスト２は、展開した状態で、高さを調節するようにしてもよく、距離を調節ができるものが好適である。
【００４６】
図６（ｄ）に示す第三展開状態は、背凭れ部４とフットレスト２を展開させた状態である。さらに詳しく説明すると、背凭れ部４の身体支持部４１と座部３の身体支持部３１が離間するように背凭れ部４を展開させ、座部下面３２とフットレスト２の第二床当接面２３とが床面Ｆに接するようフットレスト２を展開した状態である。
座部下面３２とフットレスト２の第二床当接面２３は、収納状態においては、相互に当接し、第三展開状態においては、いずれも床面Ｆに当接するようになっている。この第三展開状態は被施療者が膝を伸ばして着座するようになっており、座椅子型のマッサージチェアとしての使用が可能であり、座部３とフットレスト２が床面Ｆに当接し、安定的に使用者を保持できる。
【００４７】
［回動機構について］
次に図７及び図８に基づいて、本発明の回動機構について説明する。図７は本発明の椅子の座部とフットレストの間にある第一回動機構を示す図であり、図７（ａ）は、距離調節部が収縮している側面図であり、図７（ｂ）は、距離調節部が収縮している正面図であり、図７（ｃ）は、距離調節部が伸長している側面図であり、図７（ｄ）は、距離調節部が伸長している正面図である。図８は本発明の椅子の背凭れ部と座部の間にある第二回動機構を示す図であり、図８（ａ）は、第二回動機構の高さ調節機構と距離調節機構の両方が動作していない図であり、図８（ｂ）は、第二回動機構の高さ調節機構が動作した図であり、図８（ｃ）は、第二回動機構の距離調節機構が動作した図であり、図８（ｄ）は、第二回動機構の高さ調節機構と距離調節機構の両方が動作した図である。なお、図８では、フットレスト２及び回動機構５を省略して図示している。
該椅子１は、座部３とフットレスト２の間に第一回動機構５を設けており、背凭れ部４と座部３の間に第二回動機構６を設け、収納状態と展開状態を可能にしている。
【００４８】
図７に示す、座部３とフットレスト２の第一回動機構５は、座部接続部５３とフットレスト接続部５２、距離調節部５１ａよりなっている。座部接続部５３の端部は、距離調節部５１ａの端部と枢着されており、回動可能となっている。フットレスト接続部５２の端部は、距離調節部５１ａの端部と枢着されており、回動可能となっている。距離調節部５１ａは、板状の部材であり、その端部には座部接続部５３とフットレスト接続部５２が設けられている。距離調節部５１ａの板状部材は、コの字状の板材を重ねて形成されており、その内部にはロック機構５１ｂとコイルバネが配置されている。この距離調節部５１ａによって、座部３とフットレスト２の距離を適切な位置に調整し可能となっている。
また、第一回動機構５を設けることで、距離調整が可能となるため、使用者Ａが窮屈に感じることを軽減できる。
【００４９】
図８に示す、背凭れ部４と座部３の第二回動機構６は、回動角度調整部６５を有しており、回動角度調整部６５は、ロック機構を有している。この構成によって、回動角度が調節できるようになっている。該回動角度調整部６５は、従来から採用されているような、ラチェット方式でもよく、手動自動を問わない。これによって背凭れ部４と座部３は第二回動機構６より、収納状態と展開状態に状態変化する。
また第２回動機構６は、背凭れ部４の高さを調節する高さ調節機構６７と、背凭れ部４と座部３の距離を調節する距離調節部６６を有している。高さ調節機構は６７、背凭れ部４を上方向に引き上げることで、背凭れ部４の高さが変更される様になっている。この構成は、背凭れ部４の内部に円筒形状の筒を設け、回動機構６の背凭れ部４への接続端を筒内へ挿通するような、従前知られるスライド機構などでもよい。背凭れ部４の高さを使用者に合せて変更ができるようになっている。
このような構成とすることで、使用者Ａが窮屈に感じることを軽減できる。
【００５０】
図１０は、本発明の他の実施形態係る椅子の側面図である。図１０のように、前記座部３の第一回動機構５と第二回動機構６を、夫々対角上に設けてもよい。第一回動機構５は、座部下面３２側の端に設けられており、第二回動機構６は、座部３の身体支持面３１側の端に回動機構が設けられている。
この実施例では、座部下面３２とフットレスト２の第二床当接面２３にクッション材を設けない。このような構成とすることで、本願の効果を達成しながらも、構成を簡素化することができる。 
【産業上の利用可能性】
【００５１】
本発明は、フットレストと座部，背凭れ部を折畳める椅子において、座面とフットレストを清潔に保つことができ、展開時であっても、安定的に身体を保持することができる椅子に適用することができる。
【符号の説明】
【００５２】
１  椅子
２  フットレスト
３  座部
４  背凭れ部
５  第一回動機構
６  第二回動機構
２１，３１，４１  身体支持部
２２  第一床当接面
２３  第二床当接面
２４  側壁
２５  底壁
２７  高さ調節機構
２８  分離丘
３２  座部下面
５１  中間接続部
５２  フットレスト接続部
５３  座部接続部
５５  回動角度調整部
６３  座部接続部
６４  背凭れ部接続部
６５  回動角度調整部
６６  距離調節部
６７  高さ調節機構
Ａ  使用者
Ｆ  床面
【図１】
2012200317.tif 000003
【図２】
2012200317.tif 000004
【図３】
2012200317.tif 000005
【図４】
2012200317.tif 000006
【図５】
2012200317.tif 000007
【図６】
2012200317.tif 000008
【図７】
2012200317.tif 000009
【図８】
2012200317.tif 000010
【図９】
2012200317.tif 000011
【図１０】
2012200317.tif 000012